(57)【特許請求の範囲】
【請求項１】
観察用光源及び撮影用光源からの光を照明光学系を介して被検眼の眼底に照射し、眼底からの反射光を結像光学系を介して結像させ、眼底を観察もしくは撮影する眼底カメラにおいて、
観察ないし撮影光束を通過させるＵ字型の切り欠け部を有し、その切り欠け部の両側の上部のそれぞれに設けられた反射面で反射されたフォーカス指標を穴あき全反射ミラーの穴を介して眼底に投影する手段と、
眼底に投影されたフォーカス指標に基づきフォーカス制御を行う手段と、
前記フォーカス指標を遮光する遮光手段とを設け、
眼底撮影の間のみ前記遮光手段によりフォーカス指標を遮光することを特徴とする眼底カメラ。
【請求項２】
前記遮光手段がメカニカルシャッターであることを特徴とする請求項１に記載の眼底カメラ。
【請求項３】
前記遮光手段が指標投影光路に挿脱可能な遮光部材であることを特徴とする請求項１に記載の眼底カメラ。
【請求項４】
前記フォーカス視標がハロゲンランプで照明されることを特徴とする請求項１から３のいずれか１項に記載の眼底カメラ。
【発明の詳細な説明】
【０００１】
【発明の属する技術分野】
本発明は、眼底カメラ、更に詳細には、観察用光源及び撮影用光源からの光を照明光学系を介して被検眼の眼底に照射し、眼底からの反射光を結像光学系を介して結像させ、眼底を観察もしくは撮影する蛍光撮影が可能な眼底カメラに関する。
【０００２】
【従来の技術】
従来の眼底カメラでは、眼底を観察したり撮影したりする際に、眼底の反射率が低いことによる光量不足やコントラストの悪さから、眼底にピントを合わせることが非常に困難であった。特に、蛍光眼底撮影では眼底像を観察する場合には、照明系に挿入されるエキサイターフィルターが青色であるためにコントラストがさらに悪くなり、眼底のピント合わせがより困難になる。そこで、眼底にフォーカス指標を投影して眼底でのフォーカス指標の結像状態を介してピント合わせを行う方法がとられている。
【０００３】
【発明が解決しようとする課題】
ところが、眼底撮影時には、焦点合わせに用いられるフォーカス指標は有害光となるので、消灯させなくてはならない。ＬＥＤ等を用いれば高速で消灯させることができ、フォーカス指標の残存像が撮影されてしまうという問題はなくなるが、ＬＥＤでは光量が不足してしまうため、照明系や撮影系の光路内にハーフミラーやリターンミラーなどの分岐方法をとることによって光量不足を解消しなければならなかった。しかし、このような方法では、照明系や撮影系に影響を与えるばかりでなく、ハーフミラー等を挿脱させる機構が必要になり装置が複雑になるという問題がある。
【０００４】
そこで、照明系や撮影系に影響を与えないほどのほんの一部の光路を利用してフォーカス指標を投影する方法が行われており、この場合には光量の強いハロゲンランプ等を用いることが可能になる。ところが、この場合には高速に消灯させることができず、フォーカス指標の残存像の問題が生じてくる。特に蛍光撮影では高感度フィルムを用い増感現像を行なうなどの方法がとられているため、上記の残存像の問題がよりいっそうクローズアップされる。そこで、蛍光撮影の際には特別にフォーカス指標の投影を止め、目視によるピント合わせが行われている。
【０００５】
本発明の課題は、上記のような問題点を除去するもので、蛍光撮影の際にもピント合わせが容易で品質のよい眼底像を撮影することが可能な眼底カメラを提供することである。
【０００６】
【課題を解決するための手段】
上記課題を解決するために、本発明では、
観察用光源及び撮影用光源からの光を照明光学系を介して被検眼の眼底に照射し、眼底からの反射光を結像光学系を介して結像させ、眼底を観察もしくは撮影する眼底カメラにおいて、
観察ないし撮影光束を通過させるＵ字型の切り欠け部を有し、その切り欠け部の両側の上部のそれぞれに設けられた反射面で反射されたフォーカス指標を穴あき全反射ミラーの穴を介して眼底に投影する手段と、
眼底に投影されたフォーカス指標に基づきフォーカス制御を行う手段と、
前記フォーカス指標を遮光する遮光手段とを設け、
眼底撮影の間のみ前記遮光手段によりフォーカス指標を遮光する構成を採用している。
【０００７】
このような構成によれば、観察時には、常時フォーカス指標が眼底に投影され、このフォーカス指標の結像状態からフォーカス制御、すなわちピント合わせが行われる。また、撮影時にはフォーカス指標が遮光されるため、蛍光撮影の際にもフォーカス指標の残存像が残らず、簡単な機構でピント合わせができるとともに、良好な蛍光眼底撮影が可能になる。また、本発明では、例えば強度の大きなハロゲンランプを用いてフォーカス指標を照明できるので、フォーカス制御が容易になる。このとき、眼底撮影時にのみフォーカス指標が遮光されるので、それを照明する光源は常時点灯させておくことができ、例えば上記ハロゲンランプを光源として用いた場合でもその寿命を長く保つことができる。
【０００８】
【発明の実施の形態】
以下図面に示す実施の形態に従って本発明を詳細に説明する。
【０００９】
図１に本発明に係わる眼底カメラを示す。観察用光源であるランプＬＡがミラーＭ１の中心に配置され、このランプＬＡから発せられた光は、コンデンサーレンズ１、撮影用光源であるストロボＳＲ、コンデンサーレンズ２、フィルターＦ１を経て、全反射ミラーＭ２によって反射され、続いてレンズ３、リング状照明を形成するためのリングスリット４、さらにリレーレンズ５、対物レンズの反射をとるための黒点板６、リレーレンズ７を通り、中心に穴の開いた穴あき全反射ミラーＭ３で反射されてから対物レンズ８を経て、被検眼Ｅの瞳Ｅｐより眼底Ｅｒに入射される。尚、フィルターＦ１は蛍光撮影用のエキサイターフィルターで蛍光撮影の時にのみ光路内に挿入され、通常の眼底撮影の時には光路内から離脱されている。
【００１０】
眼底Ｅｒからの反射光は再び瞳Ｅｐから対物レンズ８を介して受光され、穴あき全反射ミラーＭ３の穴を介してフィルターＦ２、合焦レンズ９、結像レンズ１０を通過し、リターンミラーＭ４に入射する。尚、フィルターＦ２は蛍光撮影用のバリアーフィルターで蛍光撮影の時にのみ光路内に挿入され、通常の眼底撮影の時には光路内から離脱されている。
【００１１】
リターンミラーＭ４に入射した光は、観察時にはリターンミラーＭ４、ミラーＭ５で反射され、視野絞り１２、フィールドレンズ１３を介して、接眼レンズ１４により検者Ｓに観察される。リターンミラーＭ４は、光路から外せるように構成されており、フィルム１１に撮影する場合には、リターンミラーＭ４が光路から外され、撮影用光源であるストロボＳＲが発光し、フィルム１１に眼底像が撮影される。
【００１２】
また、眼底カメラには、眼底にピントを合わせるのを容易にするためにフォーカス指標投影光学系が設けられている。このフォーカス指標投影光学系において、フォーカス指標照明用光源２４によって照明されたフォーカス指標２３は、遮光手段２２、レンズ２１、ミラーＭ７、合焦レンズ２０を経て、観察、撮影光路に配置されたミラーＭ６に入射する。ミラーＭ６に入射した光は、Ｍ６で反射された後、穴あき全反射ミラーＭ３の穴を介して、対物レンズ８、被検眼Ｅの瞳Ｅｐを経て眼底Ｅｒ上に結像される。尚、合焦レンズ２０は合焦レンズ９と連動しており、フォーカス指標２３は、常にフィルム１１や視野絞り１２と共役となっている。
【００１３】
眼底Ｅｒ上に結像したフォーカス指標２３の像は、再び瞳Ｅｐ、対物レンズ８を介して受光され、穴あき全反射ミラーＭ３の穴を介してフィルターＦ２、合焦レンズ９、結像レンズ１０を通過し、リターンミラーＭ４、ミラーＭ５で反射され、視野絞り１２、フィールドレンズ１３を介して、接眼レンズ１４により検者Ｓに観察される。
【００１４】
上記ミラーＭ６は、図２に示すように、Ｕ字型の切り欠け部を有し、その切り欠け部の両側の上部がミラー面ｍ、ｍ’となっており、撮影系の光軸Ｌが切り欠け部を通るように構成されている。フォーカス指標の像は、ミラーＭ６の反射面ｍ、ｍ’により光路が２分されて被検眼の眼底に結像される。このとき、フォーカス指標の像が眼底でピントがあう場合には、反射面ｍ、ｍ’で反射したフォーカス指標の像が一点になるように、またピントがズレている場合には、分離するように構成されており、それによりフォーカス検知の感度を高めている。また、フォーカス指標は撮影系の光軸Ｌの両サイドから被検眼に向けて投影され、一方眼底からの撮影ないし観察光束はミラーＭ６の切り欠け部を通過するので、撮影系に与える影響がないようになっている。
【００１５】
また、フォーカス指標照明用の光源２４は、例えば強度の強いハロゲンランプが使用される。従って、ミラーＭ６の反射面ｍ、ｍ’が小面積でも、被検眼に入射する指標光量を十分な量にすることができる。
【００１６】
また、フォーカス指標投影光学系に設けられる遮光手段２２は、図３に示すようにメカニカルシャッターで構成されており、不図示の駆動機構により、シャッターが開閉して指標投影光路を開放ないし遮蔽できるようになっている。
【００１７】
また、フォーカス指標２３には、チャート、あるいは図３に示したようなピンホールが用いられる。
【００１８】
次に、このように構成された眼底カメラで蛍光撮影を行なうときの動作について説明する。
【００１９】
まず、観察用光源であるランプＬＡが点灯され、被検眼眼底Ｅｒがこれにより照明される。蛍光撮影の場合にはここでエキサイターフィルターＦ１を挿入しておく。次にフォーカス指標照明用光源２４が点灯され、フォーカス指標２３が被検眼眼底Ｅｒに投影される。検者Ｓは眼底カメラ全体をアライメントしながら、接眼レンズ１４によって被検眼眼底Ｅｒを観察する。
【００２０】
このとき、フォーカス指標２３が眼底上Ｅｒでピントが合うように合焦レンズ９、２０を調節する。前述したように、ピントがあっていないときには、フォーカス指標像は分離して観察されるので、分離している場合には、合焦レンズ９ないし２０でフォーカス視標像が一点で観察されるまで合焦操作を行なう。合焦レンズ９及び２０は連動しており、フォーカス指標２３がフィルム１１及び視野絞り１２と常に共役になるように構成されているので、フォーカス視標像が一点で観測されると、フィルムには、ピントの合った眼底像が撮影できるようになる。
【００２１】
このように、アライメントを行ない、またフォーカス指標のピントを確認したあと、蛍光撮影であるので、バリアーフィルターＦ２を挿入後、撮影を開始する。撮影開始と同時に、遮光手段２２が作動し、シャッターが閉じてフォーカス指標が遮光される。これと同時に、リターンミラーＭ４が光路から離脱し、撮影用光源であるストロボＳＲが発光し、眼底像がフィルム１１に撮影される。撮影終了後、リターンミラーＭ４が再び光路内に挿入され、遮光手段２２が解除される。これにより再びフォーカス指標が被検眼眼底Ｅｒに投影されるようになる。
【００２２】
このように、光源２３が常時点灯されていても、蛍光撮影時には、フォーカス視標は完全に遮光できるので、その像が残像としてフィルムに撮影されることがなくなり、良好な蛍光眼底像の撮影が可能になる。
【００２３】
なお、遮光手段２２は、図４に示すように、ソレノイド３０によって光路に挿脱できる遮光板２２’とすることもできる。
【００２４】
【発明の効果】
以上説明したように、本発明では、撮影時にのみ、フォーカス視標が遮光され、その他のときには、フォーカス指標が眼底に投影されるので、ピント合わせが容易になる。また、撮影時にはフォーカス指標が遮光されるため、蛍光撮影の際にもフォーカス指標の残存像が残らず、簡単な機構でピント合わせができるとともに、良好な蛍光眼底撮影が可能になる。
【図面の簡単な説明】
【図１】本発明の眼底カメラの光学系の概略構成を図示した構成図である。
【図２】フォーカス指標投影系内のミラーの構成を示した斜視図である。
【図３】フォーカス指標を遮光する遮光手段の構成を示した構成図である。
【図４】フォーカス指標を遮光する遮光手段の他の構成を示した構成図である。
【符号の説明】
１１  フィルム
２２  遮光手段
２３  フォーカス視標
２４  フォーカス視標照明用光源
Ｍ６  ミラー
ＳＲ  ストロボ
Ｆ１  エキサイターフィルター
Ｆ２  バリアフィルター
【図１】
0003987618.tif 000002
【図２】
0003987618.tif 000003
【図３】
0003987618.tif 000004
【図４】
0003987618.tif 000005